(57)【要約】      （修正有）【課題】熱交換器や煙突や加温機外枠から煙突側へ飛び出した炉の表面等からの放熱及び加温機外枠と露出した炉の間に生じた組立上の隙間からの熱風漏れなどを解消して、加温機周辺の熱むらによる生育の不揃いの実害を防ぐと共に、燃料の消費量を減少させる。【解決手段】園芸用ハウス内に設置した煙突のある燃焼式の加温機において、煙突７に熱交換器８を設置し、内側に空間を設けた放熱回収カバー１に煙突差し込み穴２や空気吸い込み口３を設け、熱交換器や熱交換器に接続した煙突の外周部分及び一基の加温機ファン６及び加温機外枠４から外部に露出した炉の一部１０及び加温機外枠と露出した炉の一部との間に生じた組立上の隙間１１等を覆うように加温機外枠の肩部５に着脱を自在に装着する。【選択図】図１
0003124995.tif 000002
【実用新案登録請求の範囲】
【請求項１】
園芸用ハウス内に設置した煙突のある燃焼式の加温機において、煙突（７）に熱交換器（８）を設置し、内側に空間を設けた放熱回収カバー（１）に煙突差し込み穴（２）や空気吸い込み口（３）を設け、熱交換器や熱交換器に接続した煙突の外周部分及び一基の加温機ファン（６）及び加温機外枠（４）から外部に露出した炉の一部（１０）及び加温機外枠と露出した炉の一部との間に生じた組立上の隙間（１１）等を覆うように加温機外枠の肩部（５）に着脱を自在に装着することを特徴とする放熱回収カバー。
【考案の詳細な説明】
【技術分野】
【０００１】  本考案は、園芸用ハウスの加温機おける放熱回収カバーに関する。
【背景技術】
【０００２】  従来、園芸用のハウス内に煙突のある燃焼式の加温機を設置し、ハウス内を加温をする過程において、煙突から逃げる排熱を回収して有効に利用するため、熱交換器を煙突に設置し、熱交換器の周辺を覆い、熱交換器ファンを設置して、熱交換器から送風ダクトをへて加温機ファンの表面に吹き出し、加温機ファンによって加温機内に吸い込ませて、加温機の送風ダクトにより再度ハウス内に放熱することで、煙突から逃げる排熱の一部を回収する技術が知られている。（非特許文献１）
【非特許文献１】ネポン株式会社、カタログ、ハウスカオンキ専用排熱回収機、エコノマイザーＺ。
【考案の開示】
【考案が解決しようとする課題】
【０００３】  従来の非特許文献１における技術は、煙突に設置した熱交換器によって煙突へ逃げる排熱の一部を有効に利用するものであるが、該熱交換器は、熱交換器ファンを設置した複雑な構造であり、高価な熱交換器である。
加温機は、加温機内で燃焼する過程で発生し内部に付着した不純物を取り除くため加温機を分解清掃する作業があるが、熱交換器ファンを設置した複雑な構造の熱交換器が設置された加温機の故に、加温機の分解清掃の作業は大変である。
また、高価なオプションの熱交換器を設置しない場合は、煙突から逃げる排熱が無駄になり、煙突の外周部分からの放熱や加温機外枠から煙突側へ飛び出した炉の表面からの放熱があり、更に、加温機外枠と露出した炉の接触部分に生じた組立上の隙間からの熱風漏れなどがあり、加温機周辺に放熱や熱風漏れがあると、加温機周辺の温度がハウス内の必要適温以上に熱せられ、熱むらによる生育の不揃い等の実害がある。
また、煙突からの排熱や周辺の放熱や加温機からの熱風漏れによる熱効率の悪さによって、無駄な燃料消費となる。
本考案が解決しようとする課題は、以上のような問題点をなくすことである。
【課題を解決するための手段】
【０００４】  園芸用ハウス内に設置した煙突のある燃焼式の加温機において、煙突に熱交換器を設置し、内側に空間を設けた放熱回収カバーに煙突差し込み穴や空気吸い込み口を設け、熱交換器や熱交換器に接続した煙突の外周部分及び一基の加温機ファン及び加温機外枠から外部に露出した炉の一部及び加温機外枠と露出した炉の一部との間に生じた組立上の隙間等を覆うように加温機外枠の肩部に着脱を自在に装着することを特徴とする放熱回収カバーを課題を解決するための手段として提供する。
【考案の効果】
【０００５】  従来の熱交換器は、煙突に設置した熱交換器によって煙突へ逃げる排熱の一部を有効に利用するものであるが、熱交換器ファンを設置した複雑な構造であり、高価な熱交換器である。また、加温機を分解して、燃焼に伴い付着した不純物を取り除く作業があるが、複雑な構造の熱交換器を設置した加温機の故に、その分解清掃作業は大変であるが、本考案の熱交換器ファンを持たない簡易な熱交換器とそれを覆う着脱自在な放熱回収カバーを採用することによって、煙突から逃げる排熱の一部の有効利用になり、熱交換器を設置する価格も安価になり、分解清掃する作業も容易にできる効果がある。
また、煙突の外周部分からの放熱の一部や加温機外枠から煙突側へ飛び出した炉の表面からの放熱や加温機外枠と露出した炉の接触部分の間に生じた組立上の隙間からの熱風漏れなどによる加温機周辺の熱むらによる生育の不揃い等の実害を防ぐ効果がある。
また、排熱の一部や放熱や熱風漏れを有効に利用するため、ハウス内の設定温度に早く到達し、燃焼時間を短くし、燃料の消費量を減らす効果がある。
【考案を実施するための最良の形態】
【０００６】  本考案の放熱回収カバーを実施するための最良の形態は、園芸用ハウス内に設置した煙突のある燃焼式の加温機において、煙突に熱交換器を設置し、内側に空間を設けた放熱回収カバーに煙突差し込み穴や空気吸い込み口を設け、熱交換器や熱交換器に接続した煙突の外周部分及び一基の加温機ファン及び加温機外枠から外部に露出した炉の一部及び加温機外枠と露出した炉の一部との間に生じた組立上の隙間等を覆うように加温機外枠の肩部に着脱を自在に装着することを最良の形態とする。
【実施例１】
【０００７】  本考案の放熱回収カバーの実施例を図に基づいて説明する。
図１は、本考案の放熱回収カバーの設置斜視図である。園芸用ハウス内に設置した煙突のある燃焼式の加温機において、煙突７に熱交換器８を設置し、内側に空間を設けた放熱回収カバー１に煙突差し込み穴２や空気吸い込み口３を設け、熱交換器や熱交換器に接続した煙突の外周部分及び一基の加温機ファン６及び加温機外枠４から外部に露出した炉の一部１０及び加温機外枠と露出した炉の一部との間に生じた組立上の隙間１１等を覆うように加温機外枠の肩部５に着脱を自在に装着することを特徴とする実施例である。【０００８】  加温機ファン６によって加温機内に入った空気は、熱せられ送り出されて送風ダクト９よって園芸用ハウス内の各所に送られて、送風ダクトのところどころに開いた孔からハウス内に分散して吹き出される。
本考案の熱交換器を設置し、放熱回収カバーを装着した場合、放熱回収カバー内の放熱エネルギーを持つ空気は、放熱回収カバーの内部で稼動する加温機ファンによって加温機内に再び入り、送風ダクトで再度の温風としてハウス内に送り出される。【０００９】  図２は、一実施例の放熱回収カバーの単体の斜視図である。
放熱回収カバーの構造は、前面、左右側面、上面、底面、裏面の変形的六面を持つボックス状のカバーに成型したもので、前面は一部を開口にして空気吸い込み口を設け、左右の側面は加温機外枠の肩部に着装するため加温機外枠の肩部の形態に合わせてカギ型に成型し、上面は熱交換器から手前の一基の加温機ファンを覆う大きさとし煙突部分に合わせて煙突差し込み穴を設け、底面は加温機外枠の前部に接する位置までの長さとし、裏面は加温機外枠の上部から放熱回収カバーの上面までの高さとし、放熱回収カバーの縁は加温機外枠に密着させ、密着した内側は放熱回収カバーが開口して加温機外枠周辺がカバー内に露出している。
【図面の簡単な説明】
【００１０】
【図１】本考案の放熱回収カバーを設置した斜視図である。（実施例１）
【図２】本考案の放熱回収カバー単体の斜視図である。（実施例１）
【図３】本考案の放熱回収カバーだけを撤去した加温機の斜視図である。
【符号の説明】
【００１１】  １  放熱回収カバー      ２  煙突差し込み穴      ３  空気吸い込み口
４  加温機外枠          ５  肩部                ６  加温機ファン
７  煙突                ８  熱交換器            ９  送風ダクト
１０  炉の一部          １１  隙間
【図１】
0003124995.tif 000003
【図２】
0003124995.tif 000004
【図３】
0003124995.tif 000005